【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
遊技球が入賞可能な入賞装置の内部に、遊技球を前記入賞装置の所定位置まで誘導する誘導路が設けられ、前記誘導路の少なくとも一部は、少なくとも２つの駆動体に設けた可動誘導路によって構成され、
前記各駆動体の駆動により前記可動誘導路の位置を変更することで、前記可動誘導路が連絡して、遊技球が前記誘導路により前記所定位置まで誘導され得る第１の状態と、前記可動誘導路が断絶して、遊技球が断絶箇所より前記誘導路から外れる第２の状態とに変更する誘導状態変更制御手段を備え、
前記少なくとも２つの駆動体は、回転駆動されるように構成されかつ、それら駆動体の回転軸を一直線上に並べ、
隣り合った前記駆動体の対向部分のそれぞれに、対向する側に向かって同じ角度で傾斜したテーパ面又はベベルギヤを形成すると共に、それらテーパ面又はベベルギヤに係合するテーパ面又はベベルギヤを有した回転子を設け、前記回転子を回転駆動させることで、隣り合った前記駆動体を異なる方向に回転させたことを特徴とする弾球遊技機。
【請求項２】
前記少なくとも２つの駆動体の各々が所定の位置になったときに前記第１の状態になるように構成したことを特徴とする請求項１に記載の弾球遊技機。
【請求項３】
前記入賞装置は、遊技球が遊転する遊技盤に付設され、
前記少なくとも２つの駆動体は、回転駆動されるように構成されると共に、それら駆動体の回転軸を、前記遊技盤と直交する方向に向けたことを特徴とする請求項１又は２に記載の弾球遊技機。
【手続補正２】
【補正対象書類名】明細書
【補正対象項目名】０００５
【補正方法】変更
【補正の内容】
【０００５】
上記目的を達成するためになされた請求項１の発明に係る弾球遊技機は、遊技球が入賞可能な入賞装置の内部に、遊技球を入賞装置の所定位置まで誘導する誘導路が設けられ、誘導路の少なくとも一部は、少なくとも２つの駆動体に設けた可動誘導路によって構成され、各駆動体の駆動により可動誘導路の位置を変更することで、可動誘導路が連絡して、遊技球が誘導路により所定位置まで誘導され得る第１の状態と、可動誘導路が断絶して、遊技球が断絶箇所より誘導路から外れる第２の状態とに変更する誘導状態変更制御手段を備え、少なくとも２つの駆動体は、回転駆動されるように構成されかつ、それら駆動体の回転軸を一直線上に並べ、隣り合った駆動体の対向部分のそれぞれに、対向する側に向かって同じ角度で傾斜したテーパ面又はベベルギヤを形成すると共に、それらテーパ面又はベベルギヤに係合するテーパ面又はベベルギヤを有した回転子を設け、回転子を回転駆動させることで、隣り合った駆動体を異なる方向に回転させたところに特徴を有する。
【手続補正３】
【補正対象書類名】明細書
【補正対象項目名】０００７
【補正方法】変更
【補正の内容】
【０００７】
請求項３の発明は、請求項１又は２に記載の弾球遊技機において、入賞装置は、遊技球が遊転する遊技盤に付設され、少なくとも２つの駆動体は、回転駆動されるように構成されると共に、それら駆動体の回転軸を、遊技盤と直交する方向に向けたところに特徴を有する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
［請求項１の発明］
請求項１の弾球遊技機では、複数の駆動体の駆動により可動誘導路が連絡して、誘導路により遊技球が所定位置まで誘導され得る第１の状態と、可動誘導路が断絶して遊技球が断絶箇所より誘導路から外れる第２の状態とに変更される。このように本発明の弾球遊技機では、複数の駆動体により誘導路が連絡状態と断絶状態に変化するので、誘導路の態様に変化が生じ、趣向性の高い役物演出を行うことができる。
また、回転駆動される少なくとも２つの駆動体の回転軸を一直線上に並べたので、コンパクトな構成にすることができる。
さらに、隣り合った駆動体の対向部分のそれぞれに形成したテーパ面又はベベルギヤに回転子を係合させたから、その回転子を回転駆動するための１つの駆動源で、隣り合った駆動体を逆方向に回転させることできる。これにより、各駆動体毎に駆動源を設けた場合に比べて、駆動源を削減することができる。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
［請求項３の発明］
請求項３の弾球遊技機では、少なくとも２つの駆動体の回転軸を、遊技盤と直交する方向に向けたので、斬新な役物演出を行うことができ、趣向性が向上する。
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００６０
【補正方法】変更
【補正の内容】
【００６０】
各回転リール５０Ａ，５０Ｂにおけるリング部６０Ａ，６０Ａ（リング部６０Ｂ，６０Ｂ）同士の間の隙間は、遊技球が通り抜けることが可能な大きさにっている。これにより、分割可動誘導路６４Ａ，６４Ｂから外れた遊技球は、各回転リール５０Ａ，５０Ｂの下方に転落する。奥行空間３６のうち回転リール５０Ａ，５０Ｂの下方は、転落空間６９になっている。遊技球がこの転落空間６９に転落すると、内部入賞口４０に入賞したときの賞球のみで、他に遊技者に利益が与えられることがなく、遊技球が回収される。